(57)【要約】【目的】所定期間は新しい粘着シートを捕虫器から交換することなく、所定期間の捕虫状態が容易に比較できる捕虫器の提供にある。【構成】  光学誘引捕虫器は、虫を誘引する誘引ランプ１と、回転板２、２間に放射状に設けた複数の粘着シート３、３・・と、粘着シート側の端部がその反対端部を中心として上下方向に回動する回動保持板４とからなり、粘着シート３と回動保持板４とで誘虫区画５を形成してなる。【選択図】  図４
2005341921.tif 000002
【特許請求の範囲】
【請求項１】
虫を誘引する誘引ランプと、回転板間に放射状に設けた複数の粘着シートと、粘着シート側端部がその反対端部を中心として上下方向に回動する回動保持板とからなり、粘着シートと回動保持板とで誘虫区画を形成してなる光学誘引捕虫器。
【発明の詳細な説明】
【技術分野】
【０００１】
本発明は、光学誘引捕虫器に関し、詳しくは、虫の好む誘引ランプにより虫を捕虫器内に誘引し、誘引した虫を粘着シートで捕虫する光学誘引捕虫器である。
【背景技術】
【０００２】
今日、光学誘引捕虫器としては、虫の好む誘引ランプにより虫を捕虫器内に誘引し、誘引した虫を粘着シートで捕虫するものである。
かかる捕虫器では、粘着シートに虫が粘着して粘着箇所が見えなくなると、その都度、新しい粘着シートに交換して、虫を粘着して捕虫している。
【０００３】
この様に、粘着シートは、その都度、新しい粘着シートに交換しなければならず、そのメンテナンスが面倒であった。
また、その場所での捕虫状態を検査する際には、粘着シートを所定期間毎に取り替え、比較するために粘着シートを別の場所に保管する必要性から、その作業も煩わしい。
【特許文献１】特開平８−３３４４４号公報
【特許文献２】特開2004‐41130号公報
【発明の開示】
【発明が解決しようとする課題】
【０００４】
そこで、本発明は、所定期間は新しい粘着シートを捕虫器から交換することなく、所定期間の捕虫状態が容易に比較できる捕虫器の提供にある。
【課題を解決するための手段】
【０００５】
本発明に係る光学誘引捕虫器は、虫を誘引する誘引ランプと、回転板間に放射状に設けた複数の粘着シートと、粘着シート側端部がその反対端部を中心として上下方向に回動する回動保持板とからなり、粘着シートと回動保持板とで誘虫区画を形成してなる。
【発明の効果】
【０００６】
複数の粘着シートを回転板間に放射状設けているため、1枚の粘着シートが満杯となれば、回転板を回転させて新しい粘着シートとし、この粘着シートで捕虫し、この作業をする事により、所定期間は粘着シートを捕虫器内から交換する作業が不要となり、複数の粘着シートが回転板間にあるので、所定期間の捕虫状態が捕虫器内の粘着シートを比較する事により容易に判断できる。
粘着シートと回動保持板とで誘虫区画を形成しているので、誘虫区画を形成する粘着シートだけで捕虫することができ、他の粘着シートには虫が粘着する事がない。
【発明を実施するための最良の形態】
【０００７】
本発明に係る一実施例を図1乃至図６に基づき説明する。
光学誘引捕虫器は、虫を誘引する誘引ランプ１と、回転板２、２間に放射状に設けた複数の粘着シート３、３、・・と、粘着シート側の一端部４ａがその反対側の他端部４ｂを中心として上下方向に回動する回動保持板４とからなり、粘着シート３と回動保持板４とで誘虫区画５を形成してなる。
【０００８】
捕虫器はケース状からなり、図１に示す様に、その前面部には開閉可能に開閉蓋６が取り付けられる。
この開閉蓋６には、虫が捕虫器内に侵入可能にするための侵入口６ａ、６ａ…が複数箇所に形成される。
【０００９】
捕虫器内には、上方の左右方向に2本の誘引ランプ１、１が横架して設けられる。この誘引ランプ１は、虫を誘引する事ができるランプで、例えば、紫外線ランプである。
誘引ランプ１は、紫外線ランプに限らず、虫を誘引する事ができれば、他の種類のランプであっても良い。
【００１０】
なお、誘引ランプ１、１は交換可能である事は勿論で、捕虫器内において、上下、前後方向に移動可能にすることができる様にしても良い。
その際には、例えば、捕虫器に上下、前後方向に溝を形成し、この溝に移動可能なフックを係止し、このフックに誘引ランプ１を取り付ける様にすれば良い。
誘引ランプ１の位置が捕虫器内で移動できれば、捕虫状態に応じて誘引ランプの１の位置を移動させ、最適な捕虫位置に誘引ランプを設ける事ができ、効率的に捕虫できる。
【００１１】
そして、誘引ランプ１、１の下方には、回転板２、２間に放射状に設けた複数の粘着シート３、３、・・が設けられている。
回転板２、２は回動軸７の両端に固定して設けられ、駆動源１０に電気的信号が入力される事により、回動軸７が回動して回転板２、２が回転すべく形成されている。
【００１２】
回転板２には、回動軸７を中心として、粘着シート３を取りつける為の取り付け部８が放射状に5箇所設けられている。
本実施例では、約７０度間隔で５箇所に取り付け部８が設けられているが、この取り付け部８は、複数あれば良く、例えば２箇所、３箇所であっても良い。
その際には、取り付け部８の間隔は適当な角度とすれば良い。
【００１３】
そして、この回転板２、２の取り付け部８、８・・には、粘着シート３の両端が取り外し可能に取り付けられている。
粘着シート３の取り付け方法としては、例えば、取り付け部８に突部を形成し、この突部に係止すべく、粘着シートに穴部を形成し、粘着シートを回転板の取り付け部に取り付けてることができるようにしても良い。
また、取り付け部に、ベルベット式ファスナーのメス部を形成し、粘着シートにはベルベット式ファスナーのオス部を形成し、粘着シートを回転板に取り付けるようにしても良い。
【００１４】
回転板２、２の図示前方には、粘着シート３とで誘虫区画５を形成するための回動保持板４が設けられている。
この回動保持板４は、粘着シート３側の一端部４ａがその反対側の他端部４ｂを中心として上下方向に回動するもので、駆動源１１に電気的信号が入力される事により、回転軸９が回動して回転保持板４が回動すべく形成されている。
【００１５】
回転軸９は、前記回転板２を回転させる為の回動軸７と同様に、捕虫器に回転可能に設けられる。
そして、この回転軸９には、回動保持板４の他端部４ｂが固定され、回転軸９が回転する事により、回転保持板４の一端部４ａが上下方向に所定角度だけ回動すべく形成されている。
【００１６】
回動保持板４は、複数の粘着シート３に虫が粘着しない様に、粘着シート３と回動保持板４とで誘虫区画５を形成するために設けられている。
【００１７】
回動保持板４が図示略水平状態で、粘着シート３と回動保持板４とで誘虫区画５を形成すると、この粘着シート３で捕虫することができ、その後、粘着シート３を交換する際には、水平状態の回動保持板４を上方向に回転させると、回動保持板４の一端部４ａが上方向に回転する。
【００１８】
そして、粘着シート３の回転板２を回転させると、新しい粘着シート３が現われ、回動保持板４を水平状態に回転させると、新しい粘着シート３と回転保持板４とで誘虫区画５を形成し、この新しい粘着シート３で捕虫することができる。
【図面の簡単な説明】
【００１９】
【図１】本発明に係る一実施例の捕虫器の正面図である。
【図２】図１に示す捕虫器から開閉蓋を取り外した際の正面図である。
【図３】本発明に係る捕虫器の要部を示す側面図である。
【図４】本発明に係る捕虫器の要部を示す斜視図である。
【図５】本発明に係る捕虫器の要部を示す斜視図である。
【図６】図５に示す回転板の斜視図である。
【符号の説明】
【００２０】
１  誘引ランプ
２  回転板
３  粘着シート
４  回動保持板
５  誘虫区画
【図１】
2005341921.tif 000003
【図２】
2005341921.tif 000004
【図３】
2005341921.tif 000005
【図４】
2005341921.tif 000006
【図５】
2005341921.tif 000007
【図６】
2005341921.tif 000008